(57)【要約】      （修正有）【課題】内ネジの緩みを低減して分離部又は中栓の脱落を抑制した封止装置を提供すること。【解決手段】封止装置１００は、本体１０とキャップ２０とを備え、本体１０とキャップ２０との間に設けられた正ネジタイプの第１締結部５０ａによって、キャップ２０の着脱を可能にするとともに、第１締結部５０ａよりも内側において本体１０とキャップ２０との間に設けられた正ネジタイプの第２締結部５０ｂによって、開封に際して本体１０から中栓１２を分離してキャップ２０に捕捉させるものであって、第１締結部５０ａを構成する外ネジ５１，５３は、第２締結部５０ｂを構成する内ネジ５２，５４よりも条数が多く、当該外ネジ５１，５３のリードは、内ネジ５２，５４のリードよりも大きい。【選択図】図１
2019059530.tif 000002
【特許請求の範囲】
【請求項１】
本体とキャップとを備え、前記本体と前記キャップとの間に設けられた正ネジタイプの第１締結部によって、前記キャップの着脱を可能にするとともに、前記第１締結部よりも内側において前記本体と前記キャップとの間に設けられた正ネジタイプの第２締結部によって、開封に際して前記本体から中栓を分離して前記キャップに捕捉させる封止装置であって、
前記第１締結部を構成する外ネジは、前記第２締結部を構成する内ネジよりも条数が多く、当該外ネジのリードは、前記内ネジのリードよりも大きい、封止装置。
【請求項２】
開封前において前記本体に前記キャップを組付けた状態で、前記キャップを緩める方向に回転させた場合に、前記キャップが前記本体の外周部から離れる上方向に移動を開始するタイミングが、前記中栓が前記本体の外周部から離れる上方向に移動を開始するタイミングよりも早くなるように設定された、請求項１に記載の封止装置。
【請求項３】
前記第２締結部を構成するキャップ内ネジと中栓内ネジとの少なくとも一方は、前記中栓を前記キャップ側の支持部に押し込む乗り越えを前記中栓を前記支持部から引き抜く乗り越えよりも容易にする偏ったネジ山形状を有する、請求項１及び２のいずれか一項に記載の封止装置。
【請求項４】
前記偏ったネジ山形状は、引き抜く方向に対応する反螺進方向に偏った断面を有する、請求項３に記載の封止装置。
【請求項５】
前記本体と前記キャップとを組み合わせた状態で、前記第２締結部は、最も奥までねじ込まれた状態となっている、請求項１〜４のいずれか一項に記載の封止装置。
【請求項６】
前記第２締結部を構成するキャップ内ネジ及び中栓内ネジのうち前記キャップ内ネジは、前記キャップの天板から下に延びるキャップ円筒部の外側面に形成され、前記中栓内ネジは、前記中栓の封止体の外縁から上に延びる中栓円筒部の内側面に形成されている、請求項１〜５のいずれか一項に記載の封止装置。
【発明の詳細な説明】
【技術分野】
【０００１】
本発明は、容器の口部に装着される封止装置に関し、特に外ネジと内ネジとを有する封止装置に関する。
【背景技術】
【０００２】
容器の口部に用いられる公知の封止装置として、本体と上蓋とを備え、本体において、ボトルの口部に嵌着される筒状部と、その内側にスコアーを介して連設されている分離部又は中栓とを設けたものが存在する（特許文献１参照）。
【０００３】
この封止装置では、上蓋と筒状部との間に外ネジを設け、上蓋と分離部との間に内ネジを設け、例えば外ネジと内ネジとをともに順方向の関係とするとともに外ネジのピッチと内ネジのピッチとの間に差を設けることにより、開封に際して上蓋を回転させることで筒状部から分離部を切り離せるようにしている。
【０００４】
しかしながら、上記封止装置のように外ネジと内ネジとにピッチの相違を設けて分離部を切り離す場合、開封時に内ネジが緩んで分離部又は中栓が脱落する可能性が高い。
【先行技術文献】
【特許文献】
【０００５】
【特許文献１】国際公開第２００７／１２６０６２号公報
【発明の概要】
【０００６】
本発明は、上記背景技術に鑑みてなされたものであり、内ネジの緩みを低減して分離部又は中栓の脱落を抑制した封止装置を提供することを目的とする。
【０００７】
上記課題を解決するため、本発明に係る封止装置は、本体とキャップとを備え、本体とキャップとの間に設けられた正ネジタイプの第１締結部によって、キャップの着脱を可能にするとともに、第１締結部よりも内側において本体とキャップとの間に設けられた正ネジタイプの第２締結部によって、開封に際して本体から中栓を分離してキャップに捕捉させる封止装置であって、第１締結部を構成する外ネジは、第２締結部を構成する内ネジよりも条数が多く、当該外ネジのリードは、内ネジのリードよりも大きい。
【０００８】
上記封止装置によれば、第１締結部を構成する外ネジは、第２締結部を構成する内ネジよりも条数が多く、当該外ネジのリードは、内ネジのリードよりも大きいので、開封に際して、外ネジの緩み又は遊びを内ネジの緩み又は遊びよりもかなり小さくしつつ、キャップの上昇に伴って中栓を大きく引っ張り上げることができる。これにより、中栓のねじ戻しを小さくすることができ、中栓の脱落を抑制することができる。
【０００９】
本発明の具体的な態様又は側面では、上記封止装置において、開封前において本体にキャップを組付けた状態で、キャップを緩める方向に回転させた場合に、キャップが本体の外周部から離れる上方向に移動を開始するタイミングが、中栓が本体の外周部から離れる上方向に移動を開始するタイミングよりも早くなる。この場合、キャップの上昇に伴って中栓を引っ張り上げる動作が早くなり、中栓の分離を早くしつつ中栓の緩みを抑えることができる。
【００１０】
本発明の別の側面では、第２締結部を構成するキャップ内ネジと中栓内ネジとの少なくとも一方は、中栓をキャップ側の支持部に押し込む乗り越えを中栓を支持部から引き抜く乗り越えよりも容易にする偏ったネジ山形状を有する。この場合、キャップに本体を組付ける工程では、第１締結部を所定の位置まで締め込んだ状態にするとともに、第２締結部においてネジ山の強制的な乗り越えを生じさせることができる。
【００１１】
本発明のさらに別の側面では、偏ったネジ山形状は、引き抜く方向に対応する反螺進方向に偏った断面を有する。
【００１２】
本発明のさらに別の側面では、本体とキャップとを組み合わせた状態で、第２締結部は、最も奥までねじ込まれた状態となっている。この場合、第１締結部を緩めるようにねじ戻しても、第２締結部のねじ戻しが少なくなり、中栓の脱落を抑制することができる。
【００１３】
本発明のさらに別の側面では、第２締結部を構成するキャップ内ネジ及び中栓内ネジのうちキャップ内ネジは、キャップの天板から下に延びるキャップ円筒部の外側面に形成され、中栓内ネジは、中栓の封止体の外縁から上に延びる中栓円筒部の内側面に形成されている。
【図面の簡単な説明】
【００１４】
【図１】本発明に係る第１実施形態の封止装置を説明するための断面図である。
【図２】（Ａ）は、第１締結部のネジ山を説明する拡大断面図であり、（Ｂ）は、第２締結部のネジ山を説明する拡大断面図である。
【図３】図１に示す封止装置の組立方法及び使用方法を説明する断面図である。
【図４】（Ａ）及び（Ｂ）は、図１に示す封止装置の組立方法及び使用方法を説明する断面図である。
【図５】（Ａ）及び（Ｂ）は、図１に示す封止装置の組立方法及び使用方法を説明する断面図である。
【発明を実施するための形態】
【００１５】
図１を参照して、本発明の一実施形態である封止装置について説明する。図示の封止装置１００は、紙パック、パウチ容器等である容器２の開口部２ａに取り付けられる本体１０と、本体１０を覆うようにして本体１０に装着されるキャップ２０とによって構成されている。
【００１６】
本体１０は、樹脂製の一体成形品であり、容器２の開口部２ａの周縁部２ｂに沿って固定された外周部１１と、開封時に外周部１１から分離される中栓１２とを備える。以下、開封とは、中栓１２が外周部１１から分離されることを意味し、開封後のキャップ２０の開け閉めについては開栓又は閉栓と呼ぶことにする。
【００１７】
本体１０の外周部１１は、中栓１２の分離後に容器２の内容物のための注出口を形成する部分であり、本体１０の軸心であるネジ軸ＡＸに沿って容器２の外側又は上側に延びる円筒状の部材である本体外周壁３１を有している。さらに、外周部１１は、本体外周壁３１の下端において半径方向外方に張り出す肉厚の本体台座３２と、本体台座３２の周面から半径方向外方に張り出す肉薄の溶着部３３とを有している。溶着部３３の上面は、容器２の周縁部２ｂの下面に対して超音波融着によって固定されている。本体台座３２の周面には、周方向２〜８箇所に等間隔に係止部３４が半径方向外方に張り出して形成されている。また、本体１０の本体外周壁３１には、外周面に、キャップ２０に螺着するための正ネジである本体外ネジ５１が形成されている。なお、ネジ軸ＡＸとは、本体１０及びキャップ２０の中心を通る軸又はキャップ２０の回転軸を意味する。
【００１８】
本体１０の中栓１２は、底部に配置された円板状の封止体４１と、この封止体４１の外縁から上方に延びる円筒状の中栓円筒部４２とを備えている。この封止体４１の外縁と中栓円筒部４２の下端部とが連結されている外周側境界部１７は、環状の薄肉部１５によって本体１０の外周部１１に連結されている。薄肉部１５の下面には、環状でＶ溝状のスコアー１６が形成されている。薄肉部１５は、本体１０から中栓１２を分離する開封時に切断される。中栓円筒部４２は、外側の本体外周壁３１の内側に同芯で離間して配置されている。中栓円筒部４２の内周面（内側面）には、本体外ネジ５１と同様に正ネジである中栓内ネジ５２が形成されている。
【００１９】
キャップ２０は、樹脂製の一体成形品であり、外側の部分として、円板状のキャップ天板２１と、円筒状のキャップ外周壁２２とを備える。キャップ外周壁２２の周囲には、ローレットが形成されている。キャップ２０は、キャップ外周壁２２と同芯で内側に、最も内側に配置された内側支持部であるキャップ円筒部２３と、キャップ円筒部２３の外側に配置された外側サポート部２４とを備える。また、キャップ外周壁２２と外側サポート部２４との間には、同様に同芯で円筒状であるがネジ軸ＡＸ方向に比較的短いインナーリング２５が設けられ。このインナーリング２５によって開封後の容器２の開口部２ａのシールが図られている。キャップ円筒部２３と、外側サポート部２４と、インナーリング２５とは、キャップ天板２１によって連設されている。そして、キャップ外周壁２２の内周側面には、本体１０の本体外周壁３１の外周側面に形成された本体外ネジ５１に螺合するキャップ外ネジ５３が形成され、キャップ円筒部２３の外周面（外側面）には、本体１０に設けた中栓１２の中栓円筒部４２の内周側面に形成された中栓内ネジ５２に螺合するキャップ内ネジ５４が形成されている。
【００２０】
以上において、本体１０の本体外周壁３１の本体外ネジ５１と、キャップ２０のキャップ外周壁２２のキャップ外ネジ５３とは、キャップ２０の本体１０に対する着脱を可能にする第１締結部５０ａを構成している。また、本体１０の中栓円筒部４２の中栓内ネジ５２と、キャップ２０のキャップ円筒部２３のキャップ内ネジ５４とは、本体１０のうち中栓１２をキャップ２０のキャップ円筒部２３に固定するための第２締結部５０ｂを構成している。つまり、キャップ２０のキャップ円筒部２３は、第２締結部５０ｂによって中栓１２を捕捉することにより当該中栓１２を本体１０又は外周部１１から分離することを可能する支持部として機能している。第１締結部５０ａは、時計方向の回転で締まり反時計方向の回転で緩む正ネジタイプの螺合部であり、第２締結部５０ｂも、時計方向の回転で締まり反時計方向の回転で緩む正ネジタイプの螺合部である。すなわち、キャップ２０のキャップ外周壁２２を上側から見て反時計方向に回転させることで第１締結部５０ａが緩むようにねじ戻されてキャップ２０が上昇する場合、キャップ２０のキャップ円筒部２３を上側から見て反時計方向に回転させることになって第２締結部５０ｂが緩むようにねじ戻されて中栓円筒部４２の上昇を抑制する効果がある。
【００２１】
第１締結部５０ａ、すなわち本体１０の本体外周壁３１に形成される本体外ネジ５１と、それに噛合するキャップ２０のキャップ外周壁２２に形成されるキャップ外ネジ５３とは、本体１０の本体外周壁３１をキャップ２０のキャップ外周壁２２から引き抜く乗り越えに対する抵抗と、本体外周壁３１をキャップ外周壁２２に押し込む乗り越えに対する抵抗とを均衡させたネジ山形状を有する。
【００２２】
一方、第２締結部５０ｂ、すなわち本体１０の中栓１２に形成される中栓内ネジ５２と、それに噛合するキャップ２０のキャップ円筒部２３に形成されるキャップ内ネジ５４とは、本体１０の中栓１２を支持部としてのキャップ円筒部２３に押し込む乗り越えを中栓１２をキャップ円筒部２３から引き抜く乗り越えよりも容易にする偏ったネジ山形状を有する。このような、押し込みを容易にする偏ったネジ山形状をかえり形状とも呼ぶ。
【００２３】
図２（Ａ）を参照して、第１締結部５０ａを構成する外ネジ５１，５３のネジ山形状についてより詳細に説明する。
【００２４】
第１締結部５０ａを構成する雄ネジである本体外ネジ５１は、ネジ軸ＡＸが通る図示のような断面において、ネジ軸ＡＸに沿った外周部１１のねじ込み方向又は螺進方向（上側）と、外周部１１のねじ戻し方向又は反螺進方向（下側）とに関して、バランスをとった断面形状を有するネジ山となっている。より詳細には、本体外ネジ５１は、基部の厚み（Ｈ１ａ）が頂部の厚み（Ｈ１ｂ）よりも幅広に設定され、螺進側の係合面であるネジ山上面５１ｔが、反螺進側の係合面であるネジ山下面５１ｂと同様に傾斜（角度θ１１≒φ１１）するものとなっている。
【００２５】
同様に、第１締結部５０ａを構成する雌ネジであるキャップ外ネジ５３は、ネジ軸ＡＸが通る図示のような断面において、ネジ軸ＡＸに沿ったキャップ２０のねじ込み方向又は螺進方向（下側）と、キャップ２０のねじ戻し方向又は反螺進方向（上側）とに関して、バランスをとった断面形状を有するネジ山となっている。より詳細には、キャップ外ネジ５３は、基部の厚み（Ｈ２ａ）が頂部の厚み（Ｈ２ｂ）よりも幅広に設定され、螺進側の係合面であるネジ山下面５３ｂが、反螺進側の係合面であるネジ山上面５３ｔと同様に傾斜（角度θ１２≒φ１２）するものとなっている。
【００２６】
第１締結部５０ａを構成する外ネジ５１，５３は、多条ネジであって、具体的には２条ネジであり、第１締結部５０ａのリードＬ１は、本体外ネジ５１のピッチの２倍となっている。図１に示すように、本体外ネジ５１は、第１条５１ｆと第２条５１ｓとからなり、これらの条５１ｆ，５１ｓを交互に配置したものとなっている。同様に、キャップ外ネジ５３は、第１条５３ｆと第２条５３ｓとからなり、これらの条５３ｆ，５３ｓを交互に配置したものとなっている。
【００２７】
図２（Ｂ）を参照して、第２締結部５０ｂを構成する内ネジ５２，５４のネジ山形状についてより詳細に説明する。
【００２８】
第２締結部５０ｂを構成する雌ネジである中栓内ネジ５２は、ネジ軸ＡＸが通る図示のような断面において、その先端に向けて中栓１２のネジ軸ＡＸに沿った移動成分としてのねじ戻し方向又は反螺進方向（下側）に偏った断面形状を有するネジ山となっている。見方を変えれば、中栓内ネジ５２は、引き抜く際に当接する第２面、すなわち中栓１２を下方に変位させる際のキャップ内ネジ５４との反螺進側の係合面であるネジ山下面５２ｂが水平に近い角度（角度θ２１）に形成され、基部の厚み（Ｈ３ａ）が頂部の厚み（Ｈ３ｂ）よりも幅広に設定されている。つまり、中栓内ネジ５２は、押し込む乗り越えに際して当接する第１面又は螺進側の係合面であるネジ山上面５２ｔが、引き抜く際に当接する第２面又は反螺進側の係合面であるネジ山下面５２ｂよりも、大きく傾斜（角度θ２１＜φ２１）するものとなっている。
【００２９】
同様に、第２締結部５０ｂを構成する雄ネジであるキャップ内ネジ５４は、ネジ軸ＡＸが通る図示のような断面において、その先端に向けてキャップ２０のネジ軸ＡＸに沿った移動成分としてのねじ戻し方向又は反螺進方向（上側）に偏った断面形状を有するネジ山となっている。見方を変えれば、キャップ内ネジ５４は、引き抜く際に当接する第２面、すなわちキャップ２０を上方に変位させる際の中栓内ネジ５２との反螺進側の係合面であるネジ山上面５４ｔが水平に近い角度（角度θ２２）に形成され、基部の厚み（Ｈ４ａ）が頂部の厚み（Ｈ４ｂ）よりも幅広に設定されている。つまり、キャップ内ネジ５４は、押し込む乗り越えに際して当接する第１面又は螺進側の係合面であるネジ山下面５４ｂが、引き抜く際に当接する第２面又は反螺進側の係合面であるネジ山上面５４ｔよりも、大きく傾斜（角度θ２２＜φ２２）するものとなっている。
【００３０】
第２締結部５０ｂを構成する内ネジ５２，５４は、１条ネジであって、第２締結部５０ｂのリードＬ２は、中栓内ネジ５２のピッチと一致している。第２締結部５０ｂのリードＬ２は、第１締結部５０ａのリードＬ１に比較して１／２程度となっており、キャップ２０を反時計方向に回転させる開封時において、中栓１２がキャップ２０又はキャップ円筒部２３に対して降下する量は、キャップ２０が本体１０に対して上昇する量の半分程度となる。これにより、キャップ２０の上昇に伴って中栓１２を比較的大きく引っ張り上げることができ、中栓１２を本体１０から分離することができる。
【００３１】
さらに、キャップ２０を反時計方向に回転させる開封前の状態において、本体外ネジ５１のネジ山上面５１ｔと、キャップ外ネジ５３のネジ山下面５３ｂとの上下方向の隙間Ｇ１（図２（Ａ）参照）は、中栓内ネジ５２のネジ山上面５２ｔと、キャップ内ネジ５４のネジ山下面５４ｂとの上下方向の隙間Ｇ２（図２（Ｂ）参照）よりも十分小さくなっている。つまり、第１締結部５０ａの緩み又は遊びの方が第２締結部５０ｂの緩み又は遊びよりも小さくなっており、キャップ２０の反時計方向の回転によって第１締結部５０ａをねじ戻すように緩め始めても、第２締結部５０ｂがねじ戻すように緩み始めて中栓１２がキャップ円筒部２３に対して相対的に降下するタイミングが若干遅れたものとなる。これにより、中栓１２がキャップ円筒部２３に対して緩むことを抑制でき、キャップ円筒部２３による中栓１２の保持の確実性を高めることができ、中栓１２の脱落を抑制することができる。
【００３２】
以下、図３等を参照して、封止装置１００の組み立て方法の一例について説明する。まず、本体１０とキャップ２０とを準備する。次に、キャップ２０に本体１０を収納するようにキャップ２０のキャップ外ネジ５３に本体１０の本体外ネジ５１を係合させ、本体１０を本体１０側から見て時計方向に回転させ或いはキャップ２０をキャップ２０側から見て時計方向に回転させる。これによって、第１締結部５０ａは、ねじ込むように締め付けられ、本体外ネジ５１とキャップ外ネジ５３が螺合される。その際、第２締結部５０ｂを構成する中栓内ネジ５２とキャップ内ネジ５４とについては、時計方向の回転でねじ込まれるが、第１締結部５０ａのリードＬ１と第２締結部５０ｂのリードＬ２との差に起因してねじ込み量が少なくなる傾向が生じる。しかしながら、両内ネジ５２，５４は上述のように押し込みに際して変形し易い偏ったネジ山形状又はかえり形状に形成されているので、互いに変形しながら両内ネジ５２，５４のネジ山を乗り越えて互いに噛合される。この際、外側サポート部２４の先端部２４ｄは、薄肉部１５の外側の上面に当接又は近接する（図４（Ａ）参照）。
【００３３】
このようにして本体１０とキャップ２０とが最も奥までねじ込まれて互いに係合した状態では、本体１０とキャップ２０との間隔が調整され、外側サポート部２４とキャップ円筒部２３との基部に形成される凹部Ｅに、中栓円筒部４２の先端部４２ｄが収容される。また、本体外周壁３１の先端に形成されたリップ部３１ｂがキャップ２０のキャップ天板２１の下面２１ｔに当接した状態に位置される。
【００３４】
上述のようにして組立てられた封止装置１００（本体１０及びキャップ２０）は、紙パック等の容器２の開口部２ａに裏側から挿入され、その開口部２ａの内周面に本体１０の本体台座３２の外周面が嵌合され、超音波接着や接着剤による接着等によって容器２に接合される（図４（Ａ）参照）。
【００３５】
以下、上記実施形態の封止装置１００の開封動作について、図４（Ａ）等を参照しながら説明する。
【００３６】
当初は、図４（Ａ）に示すように、キャップ２０が締結部５０ａ，５０ｂの回転動作前の基準位置又は初期位置（奥までねじ込んだ状態）にあり、中栓１２と本体外周壁３１とが結合状態にあって、容器２の開口部２ａ（図４（Ａ））又は本体１０の開口部１１ａ（図５（Ａ））が封止された状態にある。
【００３７】
図４（Ａ）の状態からキャップ２０を緩める方向、即ち反時計回りに回転させると、キャップ外ネジ５３が本体外ネジ５１に当接し、第１締結部５０ａの作用によってキャップ２０が上昇し始める。これに遅れて、キャップ２０の回転に伴ってキャップ内ネジ５４が中栓内ネジ５２に当接して第２締結部５０ｂが作用し始め、キャップ２０又はキャップ円筒部２３に対して中栓１２が相対的に降下し始める。しかしながら、第２締結部５０ｂよりも第１締結部５０ａのリードが大きく、キャップ２０の上昇が大きく、中栓１２も本体１０に対して強制的に上昇する（図４（Ｂ））。キャップ２０の上昇量がある程度以上大きくなると、本体１０の薄肉部１５が伸びて破断され、中栓１２は本体外周壁３１から離脱されて開口部１１ａが形成され、封止装置１００が開封される（図５（Ａ）参照）。この状態において、中栓１２は、キャップ円筒部２３に対して若干ねじ戻された状態となっているが、キャップ円筒部２３にネジ付けられてキャップ２０に保持される。
【００３８】
さらに、キャップ２０を緩める方向に回転させると、キャップ２０は本体外周壁３１から離れ、それによって容器２内の内容物を注ぐことができるようになる。その際、中栓１２は、キャップ２０に確保され離脱するおそれはない。つまり、一旦開封が行われた後は、本体１０側に固定されていた中栓１２がキャップ２０側に固定されることになる。
【００３９】
開封後について説明すると、キャップ２０のキャップ外ネジ５３を本体１０の本体外ネジ５１に螺合させ、キャップ２０を時計方向に回転させると、本体外周壁３１の上端に形成されているリップ部３１ｂがキャップ２０のキャップ天板２１の下面２１ｔに当接し、かつ、外側サポート部２４の先端部２４ｄが薄肉部１５の外側面に密着又は近接する。
【００４０】
本実施形態の封止装置１００では、第１締結部５０ａを構成する外ネジ５１，５３は、第２締結部５０ｂを構成する内ネジ５２，５４よりも条数が多く、当該外ネジ５１，５３のリードＬ１は、内ネジ５２，５４のリードＬ２よりも大きいので、開封に際して、外ネジ５１，５３の緩み又は遊びを内ネジの緩み又は遊びよりもかなり小さくしつつ、キャップ２０の上昇に伴って中栓１２を大きく引っ張り上げることができる。これにより、中栓１２のねじ戻しを小さくすることができ、中栓１２の脱落を抑制することができる。
【００４１】
以上、本実施形態に係る封止装置について説明したが、本発明に係る封止装置は上記のものには限られない。例えば、上記実施形態において、第１締結部５０ａを構成している本体外ネジ５１及びキャップ外ネジ５３のピッチ、巻き数、ネジ山高さ等の仕様は、発明の効能を奏する限り、適宜用途に応じて変更することができる。また、第２締結部５０ｂを構成しているキャップ内ネジ５４及び中栓内ネジ５２のピッチ、巻き数、ネジ山高さ等の仕様も、同様に変更することができる。
【００４２】
上記実施形態において、第１締結部５０ａを１条ネジで構成し、第２締結部５０ｂを２条ネジで構成しているが、第２締結部５０ｂの条数が第１締結部５０ａの条数よりも多ければよく、例えば第１締結部５０ａを２条ネジ以上とし、第２締結部５０ｂを３条ネジ以上とすることができる。
【００４３】
また、上記実施形態において、キャップ２０の外側サポート部２４については、これを省略することもできる。
【００４４】
また、上記実施形態において、本体１０の中栓円筒部４２とキャップ２０のキャップ円筒部２３とは、内外を入れ替えることもできる。この場合も、中栓円筒部４２の雄ネジとキャップ円筒部２３の雌ネジとは、第１締結部５０ａと同様に正ネジタイプの第２締結部５０ｂを構成する。
【００４５】
上記実施形態において、第１締結部５０ａを構成する本体外ネジ５１及びキャップ外ネジ５３の形状は、図１等に例示するものに限らず、様々な断面形状とできる。また、第１締結部５０ａを構成する外ネジ５１，５３は、連続的に螺旋状に形成されるものに限らず、分離した複数の部分からなるものとできる。
【００４６】
上記実施形態において、第２締結部５０ｂを構成する中栓内ネジ５２及びキャップ内ネジ５４の形状は、図１等に例示するような、押し込みを容易にする偏ったネジ山形状又はかえり形状を有するネジ山に限らず、様々な断面形状とできる。また、第２締結部５０ｂを構成する内ネジ５２，５４は、連続的に螺旋状に形成されるものに限らず、分離した複数の部分からなるものとできる。さらに、内ネジ５２，５４の一方を偏ったかえり形状とし、他方を抜き差しに関する抵抗を均衡させた形状とすることもきる。
【００４７】
上記実施形態において、本体１０の溶着部３３の上面を、容器２の周縁部２ｂの下面に対して固定したが、溶着部３３の下面を、周縁部２ｂの上面に対して固定してもよい。この場合、本体１０の本体台座３２と溶着部３３とを同じ厚みとし、係止部３４を省略してもよい。
【符号の説明】
【００４８】
２…容器、  ２ａ…開口部、  ２ｂ…周縁部、  １０…本体、  １１…外周部、  １１ａ…開口部、  １２…中栓、  １５…薄肉部、  １６…スコアー、  １７…外周側境界部、  ２０…キャップ、  ２１…キャップ天板、  ２２…キャップ外周壁、  ２３…キャップ円筒部、  ２４…外側サポート部、  ２４ｒ…バリ収納部、  ２５…インナーリング、  ３１…本体外周壁、  ３２…本体台座、  ３３…溶着部、  ３４…係止部、  ４１…封止体、  ４２…中栓円筒部、  ５０ａ…第１締結部、  ５０ｂ…第２締結部、  ５１…本体外ネジ、  ５２…中栓内ネジ、  ５２ｂ…ネジ山上面、  ５２ｔ…ネジ山上面、  ５３…キャップ外ネジ、  ５４…キャップ内ネジ、  ５４ｂ…ネジ山下面、  ５４ｔ…ネジ山上面、  １００…封止装置、  ＡＸ…ネジ軸
【図１】
2019059530.tif 000003
【図２】
2019059530.tif 000004
【図３】
2019059530.tif 000005
【図４】
2019059530.tif 000006
【図５】
2019059530.tif 000007